(57)【要約】  【課題】  ヒンジ軸をリフト部材高さ調整手段の一構成部材として利用し、このヒンジ軸に直接、調整ねじを取り付けることにより組付け工数及び部材点数部材の減少を図る。  【解決手段】  ヒンジ軸６にねじ孔２７が軸線に直交して貫通するよう設けられ、該ねじ孔２７にリフト部材高さ調整用の調整ねじ２６が螺合挿通され、該調整ねじ２６の先端部をリフト部材１１の回動先端側の下面側に当接させている。調節ねじ２６には弛止めナット２９を螺合させている。ヒンジ軸６をリフト部材高さ調整手段の一構成部材として利用し、このヒンジ軸６に直接、調整ねじ２６を取り付けることにより少ない組付け工数並びに部材点数で組み付けることができる。【選択図】  図１
2006053355.tif 000002
【特許請求の範囲】
【請求項１】
装置本体側に取り付けられる取付部材と、この取付部材に、その回動基端側の後端部がヒンジ軸を介して上下方向に回動自在に枢支連結された支持部材と、この支持部材の上側に重なり合い該支持部材の回動先端側の前端部に、その回動基端側の前端部が支持軸を介して上下方向に回動自在に枢支連結されて、原稿圧着板の回動基端側の後端部に取り付けられるリフト部材と、前記支持部材と前記取付部材との間に、前記支持部材を開き方向へ回動付勢し、かつ前記リフト部材を前記支持部材と重なり合う方向へ付勢するように装着された圧縮コイルばねとを備えている原稿圧着板開閉装置において、
前記ヒンジ軸の軸線方向中途部にねじ孔が軸線に直交して貫通するよう設けられ、前記ねじ孔にリフト部材高さ調整用の調整ねじが螺合挿通され、該調整ねじの先端部を前記リフト部材の回動先端側の下面側に当接させていることを特徴とする、原稿圧着板開閉装置。
【請求項２】
前記ヒンジ軸は前記支持部材の回動基端側の後端部に一体的に結合されるとともに、前記調整ねじの先端部が前記リフト部材の回動先端側の下面側に直角に当接されている、請求項１記載の原稿圧着板開閉装置。
【請求項３】
前記調節ねじに弛止めナットを螺合させている、請求項１又は２記載の原稿圧着板開閉装置。
【請求項４】
前記支持部材及び前記リフト部材が前記ヒンジ軸回りに９０度もしくは略９０度開き回動したとき前記調整ねじも前記ヒンジ軸と共に９０度もしくは略９０度回転して該調整ねじの頭側端が前方へ向くように構成してあり、開き回動した前記支持部材の回動基端側と取付部材間の空間の前方から差込まれるねじ回し工具が前記頭側端に掛けられるように構成してある、請求項２又は３記載の原稿圧着板開閉装置。
【発明の詳細な説明】
【技術分野】
【０００１】
本発明は、複写機、印刷機、スキャナー等に設置されて厚物原稿を圧着するのに用いられるリフト機能付きの原稿圧着板開閉装置に係り、更に詳しくはリフト部材の高さ調整手段の改良に関する。
【背景技術】
【０００２】
この種の原稿圧着板開閉装置として、たとえば、図８に示すように、複写機等の装置本体４０に取り付けられる取付部材４１と、この取付部材４１の両側板に一端部側をヒンジ軸４２を介して回動自在に枢支連結された支持部材４３と、この支持部材４３の上側に重なり合い該支持部材４３の他端部側に支持軸４４を介して回動自在に枢支連結され、原稿圧着板４５の回動基端側に取り付けられるリフト部材４６とを備え、さらに、リフト部材４６の支持部材４３に対する枢支連結側であってリフト部材４６の回動時に支持軸４４を支点に旋回する位置の両側板間に取り付けられた作動軸４７と、この作動軸４７と取付部材４１側の支持部材４３の枢支連結位置とは異なる位置との間に支持部材４３を原稿圧着板４５の開き方向へ付勢させ、かつ原稿圧着板４５を取り付けたリフト部材４６を支持部材４３と重なり合う方向へ付勢保持するように弾設した圧縮コイルばね４８とを備えたものがある（例えば、特許文献１参照。）
【０００３】
上記構成の原稿圧着板開閉装置では、装置本体４０の寸法誤差や組立誤差などにより、原稿圧着板４５を閉じたときにこの原稿圧着板４５と原稿台（コンタクトガラス）４５ａとの間に隙間ができることがある。こうした場合前記隙間を調整できるように、リフト部材４６の高さを調整するためのエキセンピン４９がリフト部材４６又は支持部材４３にかしめ手段またはネジ着手段により取り付けられている。
【０００４】
【特許文献１】実開平７−１４４５１号公報
【発明の開示】
【発明が解決しようとする課題】
【０００５】
しかるに、リフト部材高さ調整用のエキセンピン４９が取り付けられた上記原稿圧着板開閉装置では、リフト部材４６又は支持部材４３にエキセンピン４９を取り付けるに当たって、エキセンピン４９の偏心位置に回転軸部材５０を、また取付板５１を必要とし、それだけエキセンピン４９の組付け工数及び部材点数の増大を招く。また、リフト部材４６又は支持部材４３にエキセンピン４９を取り付けるには、原稿圧着板４５やリフト部材４６にエキセンピン４９を回転操作するに要する作業空間を確保するために切欠部５２などの加工を要することになる。さらに、リフト部材高さ調整に際しエキセンピン４９の回転操作は、複写機など装置本体４０の背後、即ち原稿圧着板４５の回動基端側から行わなければならいが、この装置本体４０の背後側には通常、壁や仕切りなどが存在するため、一旦、装置本体４０全体を動かしてこの向きを変える必要があって手間取るという問題がある。
【０００６】
本発明は、このような問題を解消するためになされたものであり、その目的とするところは、上記のような、ヒンジ軸を備えた原稿圧着板開閉装置において、前記ヒンジ軸をリフト部材高さ調整手段の一構成部材として利用し、このヒンジ軸に直接、リフト部材高さ調整用の調整ねじを取り付けることにより組付け工数並びに部材点数部材の減少、コストの低減を図れる原稿圧着板開閉装置を提供することにある。また、本発明の他の目的は、調整ねじの回転操作を複写機等装置本体の前方から行うことができるようし、もってリフト部材高さ調整作業性の向上を図れる原稿圧着板開閉装置を提供することにある。
【課題を解決するための手段】
【０００７】
本発明は、発明の内容を理解しやすくするために図１に付した符号を参照して説明すると、装置本体（１）側に取り付けられる取付部材（５）と、この取付部材に、その回動基端側の後端部がヒンジ軸（６）を介して上下方向に回動自在に枢支連結された支持部材（７）と、この支持部材の上側に重なり合い該支持部材の回動先端側の前端部に、その回動基端側の前端部が支持軸（９ａ，９ｂ）を介して上下方向に回動自在に枢支連結されて、原稿圧着板（２）の回動基端側の後端部に取り付けられるリフト部材（１１）と、前記支持部材と前記取付部材との間に、前記支持部材を開き方向へ回動付勢し、かつ前記リフト部材を前記支持部材と重なり合う方向へ付勢するように装着された圧縮コイルばね（２４）とを備えている原稿圧着板開閉装置において、前記ヒンジ軸（６）の軸線方向中途部にねじ孔（２７）が軸線に直交して貫通するよう設けられ、前記ねじ孔にリフト部材高さ調整用の調整ねじ（２６）が螺合挿通され、該調整ねじの先端部を前記リフト部材（１１）の回動先端側の下面側に当接させていることに特徴を有するものである。
【０００８】
上記構成の原稿圧着板開閉装置によれば、原稿圧着板を閉じたときに原稿圧着板と装置本体の原稿台との間に隙間が生じる場合は、調整ねじを回転させることにより、リフト部材が支持軸回りに上下してその高さを可変調整することができ、これにより原稿圧着板の角度を変えることができて前記隙間を微調整できる。
【０００９】
一つの好適な態様として、本発明による原稿圧着板開閉装置は、前記ヒンジ軸（６）を前記支持部材（７）の回動基端側の後端部に一体的に結合するとともに、前記調整ねじ（２６）の先端部（２６ａ）をリフト部材（１１）の回動先端側の下面側に直角に当接させることができる。これによれば、原稿圧着板（２）が水平な全閉状態では調整ねじ（２６）の頭側端は下向きになり、そして原稿圧着板（２）が９０度もしくは略９０度開き回動して垂直姿勢もしくはほぼ垂直姿勢になるよう全開もしくは全開付近にまで開かれると、リフト部材（１１）及び支持部材（７）もほぼ垂直姿勢になり、これに伴い支持部材（７）と共回りするヒンジ軸（６）上の調整ねじ（２６）は頭部側端は原稿圧着板（２）の回動先端側、即ち装置本体（１）の前方へ向ける姿勢に変えることができる。したがって、開き回動した支持部材の回動基端側と取付部材間の空間の前方からねじ回し工具を差込んで調整ねじを回転操作させることができるため、前述した従来の原稿圧着板開閉装置のようにリフト部材高さ調整にあたって装置本体全体の向きを変えるような手間は一切不要になり、原稿圧着板（２）を垂直姿勢もしくはほぼ垂直姿勢に開くだけで原稿圧着板開閉装置の前方から調整ねじを容易に回転操作させることができてリフト部材高さ調整作業性に優れる。
【００１０】
また、前記調節ねじ（２６）には弛止めナット（２９）を螺合させることができる。これによれば、振動等による調整ねじの弛みを防止でき、調整後の状態を維持できる。
【発明の効果】
【００１１】
本発明によれば、リフト部材高さ調整用の調整ねじにより原稿圧着板と原稿台間の隙間を容易に微調整することができ、しかも調整ねじはヒンジ軸を利用してこれに取り付けている構造であるので、それだけ少ない部材点数、組付け工数で簡単かつ容易に組み付けることができ、また従来の原稿圧着板開閉装置の原稿圧着板やリフト部材のようにカムを回転操作するための特別な切欠部など回転作業空間を加工する必要も無くなり、組付け性に優れる。また、調整ねじの回転操作は原稿圧着板を全開もしくは全開付近にまで開くことにより支持部材の回動基端側と取付部材との間の前方から行うことができてリフト部材高さ調整作業性にも優れる。
【発明を実施するための最良の形態】
【００１２】
以下、本発明の好ましい実施形態を図面に基づいて説明する。図１は本発明に係る原稿圧着板開閉装置を全閉状態で示す縦断側面図、図２は図１の原稿圧着板開閉装置を厚物原稿圧着状態で示す縦断側面図、図３は図１の原稿圧着板開閉装置を全開状態で示す縦断側面図、図４は図１の原稿圧着板開閉装置の取付部材の分解斜視図、図５は図１の原稿圧着板開閉装置の支持部材の分解斜視図、図６は図１の原稿圧着板開閉装置のリフト部材の分解斜視図である。
【００１３】
図１において、１はコンタクトガラスによる原稿台１ａを備えた複写機等の装置本体、２は原稿圧着板、３は原稿圧着板２を装置本体１の原稿台１ａに対し上下方向に開閉回動自在に取り付けた原稿圧着板開閉装置である。
【００１４】
原稿圧着板開閉装置３の全体的構成は、基本的には図６に示す従来の原稿圧着板開閉装置とほとんど変わるところがない。すなわち、この原稿圧着板開閉装置３は、装置本体１にビス４等で取り付けられた取付部材５と、この取付部材５に、その回動基端側の後端部がヒンジ軸６を介して上下方向に回動自在に枢支連結された支持部材７と、この支持部材７の回動先端側の前端部に、その回動基端側の前端部が作動部材２１および互いに平行な上下２本の第１，２の支持軸（以下、第１、２支持軸という。）９ａ，９ｂを介して上下方向に回動自在に枢支連結され、原稿圧着板２の回動基端側に図外のビス等で取り付けられるリフト部材１１などから構成されている。
【００１５】
図１、図４に示すように、取付部材５は、装置本体１にビス４等で取り付けられる金属製の底板５ａと、この底板５ａの両端から立ち上げた両側板５ｂ，５ｂとを有する断面略溝形状に形成され、両側板５ｂ，５ｂの上端側にヒンジ軸挿通孔１２，１２を設けている。さらに、両側板５ｂ，５ｂの、ヒンジ軸挿通孔１２，１２よりも下方でかつ前方向寄りに偏した位置には、ストッパーピン支持孔１３，１３を設けている。
【００１６】
図１、図５に示すように、支持部材７は、金属製の上板７ａと、この上板７ａの両側端から下方に折曲した両側板７ｂ，７ｂ、及びこの両側板７ｂ，７ｂの各下端から内向きに上板７ａと平行に折曲したリップ７ｃ，７ｃとを有する断面リップ付き溝形状に形成され、両側板７ｂ，７ｂの回動基端側の後端部にヒンジ軸枢支孔１４，１４を設け、両側板７ｂ，７ｂの回動先端側の前端部に第１，２支持軸枢支孔１５ａ，１５ｂを上下に設けている。そして、支持部材７は、図１に示すように、両側板７ｂ，７ｂのヒンジ軸枢支孔１４，１４を取付部材５のヒンジ軸挿通孔１２，１２に合わせてこれら孔１４，１２にヒンジ軸６を挿通し、該ヒンジ軸６の両端部を支持部材７のヒンジ軸枢支孔１４，１４に回止め状に一体的に結合することによって取付部材５に対しヒンジ軸６まわりに上下方向に回動自在に枢支連結される。取付部材５の両側板５ｂ，５ｂのストッパーピン支持孔１３，１３には、ストッパーピン１７がヒンジ軸６と平行に挿通固定され、このストッパーピン１７にカム部材１７ａが挿通固定される。
【００１７】
図１、図６に示すように、リフト部材１１は、原稿圧着板２の回動基端側の後端部に図外のビス等で取り付けられる金属製の上板１１ａと、この上板１１ａの両側端から下方に折曲した両側板１１ｂ，１１ｂとを有する断面溝形状に形成されている。その回動基端側の両側板１１ｂ，１１ｂの前端部同士間には作動部材２１が一体的に結合固定される。その作動部材２１は耐摩耗性に優れるポリアセタール系樹脂やポリアミド系樹脂などで成形され、上下方向に縦長の垂直溝２１ａと、この垂直溝２１ａの下方に直交するよう配された横長の水平溝２１ｂとをそれぞれ設けている。図６に示すように、両側板１１ｂ，１１ｂの前端部には垂直溝２１ａ、水平溝２１ｂにそれぞれ合致する形状の第１，２軸孔２５，３６を上下に設けている。
【００１８】
図１に示すように、支持部材７に対しリフト部材１１は、上板１１ａが支持部材７の上板７ａの上側に、両側板１１ｂ，１１ｂが支持部材７の両側板７ｂ，７ｂの外側にそれぞれ重なり合い、かつ作動部材２１が支持部材７の両側板７ｂ，７ｂの前端部同士間に嵌まり込むとともに、回動先端側の後端部が原稿圧着板２の後端部方向へ向くように、互いに合致する第１軸孔３５、第１支持軸枢支孔１５ａ及び垂直溝２１ａに第１支持軸９ａを、第２軸孔３６、第２支持軸枢支孔１５ｂ及び水平溝２１ｂに第２支持軸９ｂをそれぞれ挿通することによって支持部材７の回動先端側に第１，２支持軸９ａ，９ｂまわりに上下方向に回動自在に枢支連結される。
【００１９】
図１に示すように、支持部材７の両側板７ｂ，７ｂ間のリップ７ｃ，７ｃ上には耐摩耗性に優れるポリアセタール系樹脂やポリアミド系樹脂などで成形された一対の筒形の第１，２スライダー２２，２３が原稿圧着板２の回動半径方向に摺動自在にはめ込まれる。そして、この支持部材７内の第１，２スライダー２２，２３間に、支持部材７を開き方向へ回動付勢し、かつ原稿圧着板２に取り付けたリフト部材１１を支持部材７と重なり合う方向へ回動付勢する圧縮コイルばね２４が装着される。支持部材７内において第１，２スライダー２２，２３はストッパーピン１７上のカム部材１７ａと作動部材２１との間に介在される。
【００２０】
第１スライダー２２の背面には、図１に示すように、ストッパーピン１７上のカム部材１７ａに当接する断面円弧状のカムフォロア２５が一体に形成される。図１のように原稿圧着板２が水平姿勢に全閉した状態においては、第１スライダー２２のカムフォロア２５がカム部材１７ａの外周の円弧下部に当接しており、また第２スライダー２３の前端部は作動部材２１の突部２１ｃに当接しており、それらカム部材１７ａ、カムフォロア２５及び圧縮コイルばね２４を介して支持部材７は原稿圧着板２を閉じ方向に回動付勢させている。この状態から原稿圧着板２を開いてゆくと、支持部材７はリフト部材１１と共にヒンジ軸６まわりに回動して共に開かれる。
【００２１】
本発明は、上記構成の原稿圧着板開閉装置３において、図１に示すように、ヒンジ軸６にリフト部材高さ調整用の調整ねじ２６を取り付けることに特徴を有する。すなわち、支持部材７の両側板７ｂ，７ｂ間のヒンジ軸６の軸線方向中途部にねじ孔２７を軸線に直交して貫通するよう設け、このねじ孔２７に、頭側端に穴２８付きの調整ねじ２６を螺合挿通させて、該調整ねじ２６の先端部２６ａをリフト部材１１の上板１１ａの回動先端側の下面側に直角に当接させる。調整ねじ２６には弛止めナット２９を螺合させて調整ねじ２７の弛み止めを講じる。図１のように原稿圧着板２が水平姿勢に全閉した状態においては、調整ねじ２６は穴２８付き頭側端を下向き状態とする姿勢にある。
【００２２】
上記構成の原稿圧着板開閉装置によれば、図１のように原稿圧着板２が水平姿勢に全閉した状態では、圧縮コイルばね２４は圧縮した状態にあり、第１支持軸９ａは垂直溝２１ａ内の上端寄り部位に、第２支持軸９ｂは水平溝２１ｂ内のリフト部材回動先端側方向、即ち後方寄り部位にそれぞれ位置している。
【００２３】
いま、原稿が紙のように薄い薄物原稿を圧着する場合には、原稿圧着板２は、リフト部材１１と取付部材５の間に介在した圧縮コイルばね２４の弾力によって開閉動作の全行程にわたって反転することなく操作され、ストッパーピン１７上のカム部材１７ａにカムフォロア２６を当接するスライダー２２とリフト部材１１を介して支持部材７に作用している圧縮コイルばね２４の弾力によって所定の開き角度で安定よく停止保持される。
【００２４】
図２に示すように、原稿Ｐが本のように厚物原稿である場合には、原稿圧着板２を閉じてその一部を厚物原稿Ｐに当てがい、原稿圧着板２の手前側を若干強く下方へ押すと、リフト部材１１が作動部材２１でスライダー２３を介して圧縮コイルばね２４を押圧し、その弾力に抗して第１，２支持軸９ａ，９ｂまわりに矢印Ｂ方向に反転し、原稿圧着板２がその回動基端側の後端部をリフトアップされて厚物原稿Ｐの上部に対して平行となり、厚物原稿Ｐ全体を装置本体１の原稿台１ａ上に均等な圧力で圧着することができる。
リフト部材１１が第１，２支軸９ａ，９ｂ回りに反転するとき、リフト部材１１と共に作動部材２１は垂直溝２１ａを第１支持軸９ａの上方(Ｙ方向）へスライドする上昇移動と、これと同時に水平溝２１ｂを第２支持軸９ｂよりリフト部材１１の回動先端側方向、即ちＸ方向へスライドする水平移動との複合により楕円軌道を描きながら反転する。前記厚物原稿Ｐよりも更に厚い厚物原稿を圧着する場合は、リフト部材１１の反転時に作動部材２１の垂直溝２１ａは第１支持軸９ａより更にＹ方向へ上昇移動し、水平溝２１ｂは第２支持軸９ｂより更にＸ方向へ水平移動することになる。
【００２５】
図１の原稿圧着板２が水平姿勢に全閉した状態から、図３のように原稿圧着板２を垂直姿勢もしくはほぼ垂直姿勢に全開させるに伴い支持部材７はヒンジ軸６ごとリフト部材１１と共に９０度もしくは略９０度回動する。すると、図１の原稿圧着板２の全閉状態で下向きにあったヒンジ軸６上の調整ねじ２６の穴２８付きの頭側端は、図３のように、支持部材７の回動基端側と取付部材５間の空間の前方へ向く姿勢に変わる。
【００２６】
原稿圧着板開閉装置の組立直後または実用時に、原稿圧着板２を全閉したとき原稿圧着板２が浮いて原稿台１ａとの間に隙間が生じる場合は、調整ねじ２６によってその隙間を微調整する。この調整に際しては、図１の原稿圧着板２が水平姿勢に全閉した状態から原稿圧着板２を垂直姿勢もしくはほぼ垂直姿勢に全開させることにより、上述したように、図３に示すごとくヒンジ軸６上の調整ねじ２６の頭側端は支持部材７の回動基端側と取付部材５間の空間の前方へ向くことになる。かくして、棒スパナなどねじ回し工具３０を支持部材７の回動基端側と取付部材５間の前方から調整ねじ２６の頭側端の穴２８に嵌め込み掛合させて調整ねじ２６を回転させることにより調整ねじ２６の先端部２６ａをリフト部材１１の下面に対し押し付けるよう進行させることができる。この調整ねじ２６の進行によりその先端部２６ａでリフト部材１１の回動先端側が支持軸９回りに若干持ち上げられることになり、これにより原稿圧着板２の角度を変えることができて原稿圧着板２と原稿台１ａ間の隙間を微調整することができる。調整後、ねじ回し工具３０は調整ねじ２６の穴２８から抜き出される。
【００２７】
上記調整ねじ２６としては、穴２８付き調整ねじ２６に代えて、図７（ａ）に示すごときねじ回し工具３０の先端部が掛けられる溝３１付きの調整ねじ２６、または同図（ｂ）に示すごときねじ回し工具３０の先端部が掛けられる多角形の頭３２付きの調整ねじ２６を用いることもできる。
【図面の簡単な説明】
【００２８】
【図１】本発明に係る原稿圧着板開閉装置を全閉状態で示す縦断側面図である。
【図２】図１の原稿圧着板開閉装置を厚物原稿圧着状態で示す縦断側面図である。
【図３】図１の原稿圧着板開閉装置を全開させた状態で示す要部縦断側面図である。
【図４】図１の原稿圧着板開閉装置の取付部材の分解斜視図である。
【図５】図１の原稿圧着板開閉装置の支持部材の分解斜視図である。
【図６】図１の原稿圧着板開閉装置のリフト部材の分解斜視図である。
【図７】図１の原稿圧着板開閉装置の調整ねじの他例を示しており、（ａ）は溝付き調整ねじの斜視図、（ｂ）は頭付き調整ねじの斜視図である。
【図８】従来例の原稿圧着板開閉装置を厚物原稿圧着状態で示す縦断側面図である。
【符号の説明】
【００２９】
１  装置本体
２  原稿圧着板
３  原稿圧着板開閉装置
５  取付部材
６  ヒンジ軸
７  支持部材
９ａ，９ｂ  支持軸
１１  リフト部材
２４  圧縮コイルばね
２６  調整ねじ
２７  ねじ孔
２９  弛止めナット
３０  ねじ回し工具
【図１】
2006053355.tif 000003
【図２】
2006053355.tif 000004
【図３】
2006053355.tif 000005
【図４】
2006053355.tif 000006
【図５】
2006053355.tif 000007
【図６】
2006053355.tif 000008
【図７】
2006053355.tif 000009
【図８】
2006053355.tif 000010